(57)【要約】【課題】本発明は、従来の発電装置とは異なり、新たな再生可能エネルギー源の一つとして温度差を利用して発電を行うサイフォン型バイナリー発電装置を提供する。 【解決手段】真空状態にした上部タンクと、上部が真空状態で低沸点作動媒体を収容した下部タンクと、前記上部タンク全体を収容し冷暖房を行う第一容器と、前記下部タンク全体を収容し冷暖房を行い、前記上部タンク全体を収容し冷暖房を行う前記第一容器とは基本的に正反対の役割をする第二容器とを少なくとも備えたことを特徴とし、熱力学的サイクルを利用したサイフォン型バイナリー発電装置を構成した。 【選択図】  図１
2013160082.tif 000002
【特許請求の範囲】
【請求項１】
真空状態にした上部タンクと、上部が真空状態であるとともに低沸点作動媒体を収容した下部タンクと、前記上部タンクと前記下部タンクを連結する第一配管と、前記第一配管と同じく前記上部タンクと前記下部タンクを連結しているが前記第一配管とは全長が異なる第二配管と、前記第一配管に設けられた第一発電用水車と、前記第一発電用水車により発電される第一発電機と、前記第一配管における前記第一発電用水車と前記下部タンクの間に設けられた第一開閉バルブと、前記第二配管に設けられた第二発電用水車と、前記第二発電用水車により発電される第二発電機と、前記第二配管における前記第二発電用水車と前記上部タンクの間に設けられて前記第一配管側に設けられた前記第一開閉バルブとは基本的に正反対の動きになる第二開閉バルブと、前記上部タンク全体を収容し冷暖房を行う第一容器と、前記下部タンク全体を収容し冷暖房を行い、前記上部タンク全体を収容し冷暖房を行う前記第一容器とは基本的に正反対の役割をする第二容器とを少なくとも備えたことを特徴とするサイフォン型バイナリー発電装置。
【請求項２】
上部タンクと下部タンクと第一配管と第二配管内を常時真空状態にする真空ポンプを設けた請求項１記載のサイフォン型バイナリー発電装置。
【発明の詳細な説明】
【技術分野】
【０００１】
本発明は、温度差を利用して発電を行うサイフォン型バイナリー発電装置に関するものである。
【背景技術】
【０００２】
東日本大震災のときに発生した福島原子力発電所の事故により、日本全国の原子力発電所が順次停止に至っている昨今、太陽光発電装置（特許文献１、特許文献２に開示）、風力発電装置等の再生可能エネルギーが再度注目を浴びている。
【０００３】
（０００２）により、太陽光発電装置は、太陽電池モジュールに太陽光が注いでいる時間帯には発電し、太陽電池モジュールに太陽光が注がない夜などの時間帯には停止している。また風力発電装置も同様に、風が吹いて発電ブレードが回転している時間帯には発電し、発電ブレードが回転していない時間帯には停止している。
【０００４】
しかしながら、特許文献１や特許文献２に開示された内容では、天候や時間等に左右されて電力の安定供給が不安定であるという問題点がある。
本発明は、その問題点を解決するためのものである。
【０００５】
【特許文献１】特開２００３−３１５３６２号公報
【特許文献２】特開２０００−３１４７５２号公報
【発明の開示】
【発明が解決しようとする課題】
【０００６】
本発明は、上述の点に鑑みてなされたものである。サイフォン型バイナリー発電装置を稼働するエネルギー源は、基本的に立地する周辺環境の熱源と冷源である。熱源は低沸点作動媒体を熱交換により液体の状態で発電用水車へ導くために、冷源は気化熱や温度差を拡大するのに利用する。従来の発電装置とは異なり、天候や時間等に左右されにくく、電力の安定供給が不安定であるという問題点が軽減されるサイフォン型バイナリー発電装置を提供することを目的とする。
【課題を解決するための手段】
【０００７】
本発明は課題を解決するために、真空状態にした上部タンクと、上部が真空状態であるとともに低沸点作動媒体を収容した下部タンクと、前記上部タンクと前記下部タンクを連結する第一配管と、前記第一配管と同じく前記上部タンクと前記下部タンクを連結しているが前記第一配管とは全長が異なる第二配管と、前記第一配管に設けられた第一発電用水車と、前記第一発電用水車により発電される第一発電機と、前記第一配管における前記第一発電用水車と前記下部タンクの間に設けられた第一開閉バルブと、前記第二配管に設けられた第二発電用水車と、前記第二発電用水車により発電される第二発電機と、前記第二配管における前記第二発電用水車と前記上部タンクの間に設けられて前記第一配管側に設けられた前記第一開閉バルブとは基本的に正反対の動きになる第二開閉バルブと、前記上部タンク全体を収容し冷暖房を行う第一容器と、前記下部タンク全体を収容し冷暖房を行い、前記上部タンク全体を収容し冷暖房を行う前記第一容器とは基本的に正反対の役割をする第二容器とを少なくとも備え、熱交換の元になる熱源と気化熱や温度差を拡大させる元になる冷源を利用して、前記低沸点作動媒体を液体の状態で前記下部タンクから前記上部タンクへ、前記上部タンクから前記下部タンクへ流動させる際、前記第一配管に設けられた前記第一発電用水車、前記第二配管に設けられた前記第二発電用水車が回転運動を起こして前記第一発電機、前記第二発電機で発電する装置を特徴とするものである。
【発明の効果】
【０００８】
本発明の効果は、真空状態にした上部タンク１と、上部が真空状態であるとともに低沸点作動媒体１４を収容した下部タンク２と、前記上部タンク１と前記下部タンク２を連結する第一配管３と、前記第一配管３と同じく前記上部タンク１と前記下部タンク２を連結しているが前記第一配管３とは全長が異なる第二配管４と、前記第一配管３に設けられた第一発電用水車５と、前記第一発電用水車５により発電される第一発電機６と、前記第一配管３における前記第一発電用水車５と前記下部タンク２の間に設けられた第一開閉バルブ７と、前記第二配管４に設けられた第二発電用水車８と、前記第一発電用水車８により発電される第二発電機９と、前記第二配管４における前記第二発電用水車８と前記上部タンク１の間に設けられて前記第一配管３側に設けられた前記第一開閉バルブ７とは基本的に正反対の動きになる第二開閉バルブ１０と、前記上部タンク１全体を収容し冷暖房を行う第一容器１１と、前記下部タンク２全体を収容し冷暖房を行い、前記上部タンク１全体を収容し冷暖房を行う第一容器１１とは基本的に正反対の役割をする第二容器１２とを少なくとも備え、熱交換の元になる熱源と気化熱や温度差を拡大させる元になる冷源を利用して、前記低沸点作動媒体１４を液体の状態で前記下部タンク２から前記上部タンク１へ、前記上部タンク１から前記下部タンク２へ流動させる際、前記第一配管３に設けられた前記第一発電用水車５、前記第二配管４に設けられた前記第二発電用水車８が回転運動を起こして前記第一発電機６、前記第二発電機９で発電するものであるので、天候や時間等に左右されることなく発電できるという効果を奏する。また、火力発電に比べ、直接燃焼させるものに比し、燃料費が安くなるという効果を奏する。
【０００９】
また、従来廃棄されていた熱源と冷源が、本発明によりエネルギーとして回収することができるという効果を奏する。
【００１０】
さらに、低温・低級の熱源と冷源は、殆ど有効に活用されなかったが、本発明により有効にエネルギーとして回収することができるという効果を奏する。
【発明を実施するための最良の形態】
【００１１】
上部タンク１、下部タンク２、第一配管３、第二配管４、第一発電用水車５、第二発電用水車８の材質は、低沸点作動媒体１４の種類によって長期間利用した場合、光や酸素により酸化分解されることもあるので、遮光する材質を使用する。また温度差の利用する関係で前記上部タンク１．前記下部タンク２の材質は、出来るだけ熱伝導率の高い材質を使用する。
【００１２】
上部タンク１と下部タンク２を連結する第一配管３の長さは、少なくとも前記上部タンク１の天井部付近の位置３ａまで達し、前記下部タンク２の底辺部付近の位置３ｂまで達する長さで、同じく前記上部タンク１と前記下部タンク２を連結する第二配管４の長さは、前記上部タンク１の底辺部の位置４ａまで達し、前記下部タンク２の天井部の位置４ｂまで達する長さとする。
【００１３】
また、第一配管３の上部タンク１側の配管口の位置３ａが前記上部タンク１の天井部付近で、第二配管４の下部タンク２側の配管口の位置４ｂが前記下部タンク２の天井部であるため、両配管口より下の位置に低沸点作動媒体１４の液面がある。
【００１４】
上部タンク１と下部タンク２の形状については、両タンク内を低沸点作動媒体１４が流動するために、特に第一配管３の前記下部タンク側の配管口３ｂの底辺部付近や第二配管４の前記上部タンク側の配管口４ａの底辺部は、低沸点作動媒体１４が溜まりやすいように出来るだけ逆三角錐のような形状とする。
【００１５】
発電用水車は、クロスフロー水車 図４(Ａ)、フランシス水車 図４(Ｂ)、ぺルトン水車
図４(Ｃ)、その他多数の発電用水車があるが、サイフォン型バイナリー発電装置の規模に適したものを使用するのが望ましい。例えば、規模が小さく、上部タンク１と下部タンク２の間の高さが低く、第一配管３や第二配管４を流れる流量が少ないのであれば、前記クロスフロー水車
図４(Ａ)の使用が基本的に望ましい。前記クロスフロー水車 図４(Ａ)の大きさによっても異なりますが、数ｍの高さで少ない流量でも回転する。逆に、規模が大きく、上部タンク１と下部タンク２の間の高さが高く、第一配管３や第二配管４を流れる流量が多いのであれば、前記フランシス水車
図４(Ｂ)やぺルトン水車 図４(Ｃ)の使用が基本的に望ましい。
【００１６】
第一配管３と第二配管４の中を流動する低沸点作動媒体１４が正反対の方向に流動するので、前記低沸点作動媒体１４の流動する力を回転力に変えるため、取りこぼしのない発電用水車を使用するのが望ましい。特に前記第二配管４の流動方向は、下部タンク２から上部タンク１へ流動するので、前記第二配管４と第二発電用水車８の羽根車（ランナー）３３の隙間は出来るだけ無く、前記低沸点作動媒体１４の流動する力を取りこぼしなく前記羽根車（ランナー）３３に直接当てて回転させる発電用水車を使用する。
【００１７】
低沸点作動媒体１４として塩化メチレン（沸点約４０℃）を使用しているが、他にペンタン、イソペンタン、ヘキサン、アセトン、ジエチルエーテル等を使用することもある。
【００１８】
請求項２に記載の発明は、従来廃棄されていた熱源と冷源や、それ以下の低温・低級の熱源と冷源を有効活用するために真空ポンプで真空状態にする。
【００１９】
（００１８）により、低沸点作動媒体１４は、通常より沸点が下がり低温・低級の熱源と冷源を使用しても流動させることができるので、稼働率を更に上げるために上部タンク１内と下部タンク２内に各々計測器２７（液面計、温度計、圧力計、真空計）を設置する。
【００２０】
サイフォン型バイナリー発電装置が単体では、第一発電用水車５が停止状態に入ってから第二発電用水車８が稼働状態に入るまでに時間差が発生するので、両発電用水車の停止時間を短縮するために計測器２７（液面計、温度計、圧力計、真空計）を利用したセンサー等による自動切り替え設備を備えたものとする。自動切り替え設備は、サイフォン型バイナリー発電装置全体を効率良く動かすために、上部タンク１内と下部タンク２内に各々計測器２７を利用した各センサー（液面センサー、温度センサー、圧力センサー、真空センサー）の信号を受けて、熱源と冷源の投入及び排出、真空ポンプ１３の稼働、第一開閉バルブ７及び第二開閉バルブ１０の切り替え作業を自動的に行うものとする。
【００２１】
（００２０）により、サイフォン型バイナリー発電装置の発電用水車の停止時間を補完するために、単体を複数体に変更若しくは補完設備を備えるのが望ましい。
【００２２】
第一配管３における第一発電用水車５と下部タンク２の間に設けられた第一開閉バルブ７と、第二配管４における第二発電用水車８と上部タンク１の間に設けられて、前記第一配管３側に設けられた前記第一開閉バルブ７とは基本的に正反対の動きになる第二開閉バルブ１０は、気密性の高い開閉バルブを使用する。
【００２３】
サイフォン型バイナリー発電装置を稼働する本質的なエネルギー源は、基本的に立地する周辺環境の熱源であるので熱源と冷源の確保が重要である。その熱源を基本的に液体で補うのであれば、太陽光や太陽熱、地熱等を利用した温水、気体で補うのであれば、蓄熱による熱気、その他施設や設備から発生する蒸気や排熱を利用する。また冷源を基本的に液体で補うのであれば用水、気体で補うのであれば外気を利用する。
【００２４】
低沸点作動媒体１４が液体の状態で上部タンク１または下部タンク２に流動するのと同様に、熱源と冷源も上部タンク全体を収容し冷暖房を行う第一容器１１と下部タンク全体を収容し冷暖房を行う第二容器１２へ交互に入れ替わるようにしている。
【００２５】
サイフォン型バイナリー発電装置の規模によって、上部タンク１と下部タンク２を連結する第一配管３、前記上部タンク１と前記下部タンク２を連結する第二配管４の配管数や配管に設けられた付属機械並びに部品は、複数を備えても構わないものである。
【００２６】
本発明の稼働に必要な熱源と冷源の確保は、大気や水以外でも対応は可能であるが、再生可能エネルギー源の一つを目指すためにも出来るだけ自然界に優しいもので対応する。
（発明を実施するための動作説明）
【００２７】
下部タンク２内に低沸点作動媒体１４（例えば塩化メチレン）を収容する。
【００２８】
第一配管３に設けられた第一開閉バルブ７を閉鎖して、第二配管４に設けられた第二開閉バルブ１０は開放する。
【００２９】
上部タンク１、下部タンク２、両タンクの間を連結する第一配管３、第二配管４の内は真空ポンプ１３を使用して、真空状態とする。本発明の真空状態とは、完全真空を意味するものではなく、大気圧以下のことをいう。
【００３０】
第一配管３に設けられた第一開閉バルブ７を開放して、第二配管４に設けられた第二開閉バルブ１０は閉鎖する。
【００３１】
上部タンク１全体を収容し冷暖房を行う第一容器１１に冷源
を冷源投入口３１より投入し、下部タンク２全体を収容し冷暖房を行う第二容器１２に熱源を熱源投入口２９より投入する。（図１）の状態。
【００３２】
上部タンク１内の温度計と圧力計が下降とともに下部タンク２内の温度計と圧力計が上昇するために、低沸点作動媒体１４（例えば塩化メチレン）が液体の状態で第一配管３を通じて第一発電用水車５が回転して、上部タンク１に流入する。第一発電用水車５が回転運動を起こして第一発電機６で発電する。
【００３３】
下部タンク２内の低沸点作動媒体１４（例えば塩化メチレン）が液体の状態で上部タンク１内に全て吸い上げられたら、第一配管３に設けられた第一開閉バルブ７を閉鎖し、第二配管４に設けられた第二開閉バルブ１０は開放する。
【００３４】
上部タンク１全体を収容し冷暖房を行う第一容器１１の冷源を冷源排出口３２より外部に排出する。出来るだけ下部タンク２全体を収容し冷暖房を行う第二容器１２で再利用する。
【００３５】
下部タンク２全体を収容し冷暖房を行う第二容器１２の熱源を熱源排出口３０より外部に排出する。出来るだけ上部タンク１全体を収容し冷暖房を行う第一容器１１で再利用する。
【００３６】
上部タンク１全体を収容し冷暖房を行う第一容器１１に熱源を熱源投入口２９より投入し、下部タンク２全体を収容し冷暖房を行う第二容器１２に冷源
を冷源投入口３１より投入する。（図２）の状態。
【００３７】
下部タンク２内の温度計と圧力計が下降とともに上部タンク１内の温度計と圧力計が上昇するために、低沸点作動媒体１４（例えば塩化メチレン）が液体の状態で第二配管４を通じて第二発電用水車８が回転して、下部タンク２に流入する。第二発電用水車８が回転運動を起こして第二発電機９で発電する。
【００３８】
上部タンク１内の低沸点作動媒体１４（例えば塩化メチレン）が液体の状態で下部タンク２内に全て吸い下げられたら、第二配管４に設けられた開閉バルブ１０を閉鎖し、第一配管３に設けられた第一開閉バルブ７は開放する。
【００３９】
上部タンク１全体を収容し冷暖房を行う第一容器１１の熱源を熱源排出口３０より外部に排出する。出来るだけ下部タンク２全体を収容し冷暖房を行う第二容器１２で再利用する。
【００４０】
下部タンク２全体を収容し冷暖房を行う第二容器１２に冷源を冷源排出口３２より外部に排出する。出来るだけ下部タンク１全体を収容し冷暖房を行う第一容器１１で再利用する。
【図面の簡単な説明】
【００４１】
以下、図１〜図４は本発明に係るサイフォン型バイナリー発電装置の構成例を示す図である。
【図１】本発明に係るサイフォン型バイナリー発電装置の構成例を示す正面図。第二容器１２に熱源を、第一容器１１に冷源を投入している状態。
【図２】本発明に係るサイフォン型バイナリー発電装置の構成例を示す正面図。第一容器１１に熱源を、第二容器１２に冷源を投入している状態。
【図３】本発明に係るサイフォン型バイナリー発電装置の構成例を示す正面図。
【図４】（Ａ）本発明に係る発電用水車の構成例を示すクロスフロー水車の断面図（Ｂ）本発明に係る発電用水車の構成例を示すフランシス水車の断面図（Ｃ）本発明に係る発電用水車の構成例を示すぺルトン水車の断面図
【符号の説明】
【００４２】
１  ：  上部タンク
２  ：  下部タンク
３  ：  第一配管
４  ：  第二配管
５  ：  第一発電用水車（稼働状態）
６  ：  第一発電機（発電状態）
７  ：  第一開閉バルブ（開放状態）
８  ：  第二発電用水車（停止状態）
９  ：  第二発電機（停止状態）
１０  ：  第二開閉バルブ（閉鎖状態）
１１  ：  上部タンク用冷暖房第一容器（冷源投入中）
１２  ：  下部タンク用冷暖房第二容器（熱源投入中）
１３  ：  真空ポンプ
１４  ：  低沸点作動媒体
１５  ：  下部タンクの液面
１６  ：  上部タンクの液面
１７  ：  低沸点作動媒体の流れの動き
１８  ：  第一発電用水車（停止状態）
１９  ：  第一発電機（停止状態）
２０  ：  第一開閉バルブ（閉鎖状態）
２１  ：  第二発電用水車（稼働状態）
２２  ：  第二発電機（発電状態）
２３  ：  第二開閉バルブ（開放状態）
２４  ：  上部タンク用冷暖房第一容器（熱源投入中）
２５  ：  下部タンク用冷暖房第二容器（冷源投入中）
２６  ：  下部タンクの液面
２７  ：  上部タンクの液面
２８  ：  計測器（液面計、温度計、圧力計、真空計）
２９  ：  熱源投入口
３０  ：  熱源排出口
３１  ：  冷源投入口
３２  ：  冷源排出口
３３  ：  羽根車（ランナー）
３４  ：  軸
３５  ：  カバー
３６  ：  案内羽根（ガイドベーン）
３７  ：  ケーシング
３８  ：  案内羽根（ガイドベーン）
３９  ：  羽根車（ランナー）
４０  ：  ケーシング
４１  ：  羽根車（ランナー）
４２  ：  ニードル弁
４３  ：  ノズル
【図１】
2013160082.tif 000003
【図２】
2013160082.tif 000004
【図３】
2013160082.tif 000005
【図４】
2013160082.tif 000006
【手続補正書】
【提出日】平成24年6月13日(2012.6.13)
【手続補正１】
【補正対象書類名】特許請求の範囲
【補正対象項目名】全文
【補正方法】変更
【補正の内容】
【特許請求の範囲】
【請求項１】
真空状態にした上部タンクと、上部が真空状態であるとともに低沸点作  動媒体を収容した下部タンクと、前記上部タンクと前記下部タンクを連結する第一配管と、全長は異なるが両タンクを連結する第二配管と、前記第一配管に設けられた第一発電用水車と、前記第一発電用水車により発電される第一発電機と、前記第一配管における前記第一発電用水車と前記下部タンクの間に設けられた第一開閉バルブと、前記第二配管に設けられた第二発電用水車と、前記第二発電用水車により発電される第二発電機と、前記第二配管における前記第二発電用水車と前記上部タンクの間に設けられて、前記第一配管側に設けられた前記第一開閉バルブとは基本的に正反対の動きになる第二開閉バルブと、前記上部タンク全体を収容し冷暖房を行う第一容器と、前記下部タンク全体を収容し冷暖房を行い、前記上部タンク全体を収容し冷暖房を行う前記第一容器とは基本的に正反対の役割をする第二容器とを少なくとも備えたサイフォン型バイナリー発電装置であって、前記下部タンク内の加熱された前記低沸点作動媒体が前記上部タンクへ流動後、次に前記上部タンク内の加熱された前記低沸点作動媒体を前記下部タンクへ滑らかに流動させるため、前記上部タンクの天井部付近から前記下部タンクの底辺部付近までを前記第一配管で繋げ、前記上部タンクの底辺部から前記下部タンクの天井部を前記第二配管で繋げており、前記上部タンク内及び前記下部タンク内を交互に加熱及び冷却する熱源及び冷源自体も交互に変化するために、それに適応した前記第一容器及び前記第二容器を備えており、前記第一開閉バルブを開放状態に、前記第二開閉バルブを閉鎖状態にして、前記下部タンク内の加熱による加圧と、前記上部タンク内の冷却による減圧からタンク間の圧力差を生じさせることにより、前記低沸点作動媒体が前記第一配管を通じて上昇による流動が起こり、前記低沸点作動媒体が前記上部タンクへ流動終了後、前記第一開閉バルブを閉鎖状態に戻し、前記第二開閉バルブを開放状態にして、次に前記上部タンク内の加熱による加圧と、前記下部タンク内の冷却による減圧からタンク間の圧力差を生じさせることにより、前記低沸点作動媒体が前記第二配管を通じて下降による流動が起こり、前記低沸点作動媒体が前記下部タンクへ流動終了後、前記第二開閉バルブを閉鎖状態に戻し、前記第一開閉バルブを開放状態にする動きをすることを特徴とするサイフォン型バイナリー発電装置。
【請求項２】
上部タンクと下部タンクと第一配管と第二配管内を真空状態にする真空ポンプを設けた請求項１記載のサイフォン型バイナリー発電装置。
【手続補正２】
【補正対象書類名】明細書
【補正対象項目名】０００７
【補正方法】変更
【補正の内容】
【０００７】
本発明は課題を解決するために、真空状態にした上部タンクと、上部が真空状態であるとともに低沸点作  動媒体を収容した下部タンクと、前記上部タンクと前記下部タンクを連結する第一配管と、全長は異なるが両タンクを連結する第二配管と、前記第一配管に設けられた第一発電用水車と、前記第一発電用水車により発電される第一発電機と、前記第一配管における前記第一発電用水車と前記下部タンクの間に設けられた第一開閉バルブと、前記第二配管に設けられた第二発電用水車と、前記第二発電用水車により発電される第二発電機と、前記第二配管における前記第二発電用水車と前記上部タンクの間に設けられて、前記第一配管側に設けられた前記第一開閉バルブとは基本的に正反対の動きになる第二開閉バルブと、前記上部タンク全体を収容し冷暖房を行う第一容器と、前記下部タンク全体を収容し冷暖房を行い、前記上部タンク全体を収容し冷暖房を行う前記第一容器とは基本的に正反対の役割をする第二容器とを少なくとも備えたサイフォン型バイナリー発電装置であって、前記下部タンク内の加熱された前記低沸点作動媒体が前記上部タンクへ流動後、次に前記上部タンク内の加熱された前記低沸点作動媒体を前記下部タンクへ滑らかに流動させるため、前記上部タンクの天井部付近から前記下部タンクの底辺部付近までを前記第一配管で繋げ、前記上部タンクの底辺部から前記下部タンクの天井部を前記第二配管で繋げており、前記上部タンク内及び前記下部タンク内を交互に加熱及び冷却する熱源及び冷源自体も交互に変化するために、それに適応した前記第一容器及び前記第二容器を備えており、前記第一開閉バルブを開放状態に、前記第二開閉バルブを閉鎖状態にして、前記下部タンク内の加熱による加圧と、前記上部タンク内の冷却による減圧からタンク間の圧力差を生じさせることにより、前記低沸点作動媒体が前記第一配管を通じて上昇による流動が起こり、前記低沸点作動媒体が前記上部タンクへ流動終了後、前記第一開閉バルブを閉鎖状態に戻し、前記第二開閉バルブを開放状態にして、次に前記上部タンク内の加熱による加圧と、前記下部タンク内の冷却による減圧からタンク間の圧力差を生じさせることにより、前記低沸点作動媒体が前記第二配管を通じて下降による流動が起こり、前記低沸点作動媒体が前記下部タンクへ流動終了後、前記第二開閉バルブを閉鎖状態に戻し、前記第一開閉バルブを開放状態にする動きをすることを特徴とするサイフォン型バイナリー発電装置で、熱交換の元になる熱源と気化熱や温度差を拡大させる元になる冷源を利用して、前記低沸点作動媒体を液体の状態で前記下部タンクから前記上部タンクへ、前記上部タンクから前記下部タンクへ流動させる際、前記第一配管に設けられた前記第一発電用水車、前記第二配管に設けられた前記第二発電用水車が回転運動を起こして前記第一発電機、前記第二発電機で発電する装置を特徴とするものである。
【手続補正３】
【補正対象書類名】明細書
【補正対象項目名】０００８
【補正方法】変更
【補正の内容】
【０００８】
本発明の効果は、真空状態にした上部タンク１と、上部が真空状態であるとともに低沸点作動媒体１４を収容した下部タンク２と、前記上部タンク１と前記下部タンク２を連結する第一配管３と、前記第一配管３と同じく前記上部タンク１と前記下部タンク２を連結しているが前記第一配管３とは全長が異なる第二配管４と、前記第一配管３に設けられた第一発電用水車５と、前記第一発電用水車５により発電される第一発電機６と、前記第一配管３における前記第一発電用水車５と前記下部タンク２の間に設けられた第一開閉バルブ７と、前記第二配管４に設けられた第二発電用水車８と、前記第二発電用水車８により発電される第二発電機９と、前記第二配管４における前記第二発電用水車８と前記上部タンク１の間に設けられて前記第一配管３側に設けられた前記第一開閉バルブ７とは基本的に正反対の動きになる第二開閉バルブ１０と、前記上部タンク１全体を収容し冷暖房を行う第一容器１１と、前記下部タンク２全体を収容し冷暖房を行い、前記上部タンク１全体を収容し冷暖房を行う第一容器１１とは基本的に正反対の役割をする第二容器１２とを少なくとも備えたサイフォン型バイナリー発電装置であって、前記下部タンク２内の加熱された前記低沸点作動媒体１４が前記上部タンク１へ流動後、次に前記上部タンク１内の加熱された前記低沸点作動媒体１４を前記下部タンク２へ滑らかに流動させるため、前記上部タンク１の天井部付近から前記下部タンク２の底辺部付近までを前記第一配管３で繋げ、前記上部タンク１の底辺部から前記下部タンク２の天井部を前記第二配管４で繋げており、前記上部タンク１内及び前記下部タンク２内を交互に加熱及び冷却する熱源及び冷源自体も交互に変化するために、それに適応した前記第一容器１１及び前記第二容器１２を備えており、前記第一開閉バルブ７を開放状態に、前記第二開閉バルブ１０を閉鎖状態にして、前記下部タンク２内の加熱による加圧と、前記上部タンク１内の冷却による減圧からタンク間の圧力差を生じさせることにより、前記低沸点作動媒体１４が前記第一配管３を通じて上昇による流動が起こり、前記低沸点作動媒体１４が前記上部タンク１へ流動終了後、前記第一開閉バルブ７を閉鎖状態に戻し、前記第二開閉バルブ１０を開放状態にして、次に前記上部タンク１内の加熱による加圧と、前記下部タンク２内の冷却による減圧からタンク間の圧力差を生じさせることにより、前記低沸点作動媒体１４が前記第二配管４を通じて下降による流動が起こり、前記低沸点作動媒体１４が前記下部タンク２へ流動終了後、前記第二開閉バルブ１０を閉鎖状態に戻し、前記第一開閉バルブ７を開放状態にする動きをすることを特徴とするサイフォン型バイナリー発電装置で、熱交換の元になる熱源と気化熱や温度差を拡大させる元になる冷源を利用して、前記低沸点作動媒体１４を液体の状態で前記下部タンク２から前記上部タンク１へ、前記上部タンク１から前記下部タンク２へ流動させる際、前記第一配管３に設けられた前記第一発電用水車５、前記第二配管４に設けられた前記第二発電用水車８が回転運動を起こして前記第一発電機６、前記第二発電機９で発電するものであるので、天候や時間等に左右されることなく発電できるという効果を奏する。